(57)【特許請求の範囲】
【請求項１】
直流搬送波を含む複数の搬送波から成る信号を送信するＯＦＤＭ送信装置であって、
拡散処理を施された第１の情報信号を前記直流搬送波のみに割り当てるとともに、拡散処理を施されない第２の情報信号を前記直流搬送波以外の搬送波に割り当てることにより、周波数分割多重処理を行う割当手段と、
前記周波数分割多重処理により得られた信号を送信する送信手段と、
を具備することを特徴とするＯＦＤＭ送信装置。
【請求項２】
直流搬送波を含む複数の搬送波から成る信号であって、拡散処理を施された第１の情報信号が前記直流搬送波のみに割り当てられ且つ拡散処理を施されない第２の情報信号が前記直流搬送波以外の搬送波に割り当てられた信号を受信する受信手段と、
前記第１の情報信号と前記第２の情報信号とをそれぞれ抽出する抽出手段と、
抽出された前記第１の情報信号のみに対して逆拡散処理を施す逆拡散手段と、
を具備することを特徴とするＯＦＤＭ受信装置。
【請求項３】
直流搬送波を含む複数の搬送波に情報信号を割り当てる信号割当方法であって、
拡散処理を施された情報信号を前記直流搬送波のみに割り当てるとともに、拡散処理を施されない情報信号を前記直流搬送波以外の搬送波に割り当てる、
ことを特徴とする信号割当方法。
【請求項４】
請求項１記載のＯＦＤＭ送信装置および請求項２記載のＯＦＤＭ受信装置の少なくともいずれか一方を具備することを特徴とする通信端末装置。
【請求項５】
請求項１記載のＯＦＤＭ送信装置および請求項２記載のＯＦＤＭ受信装置の少なくともいずれか一方を具備することを特徴とする基地局装置。
【発明の詳細な説明】
【０００１】
【発明の属する技術分野】
本発明は、ディジタル移動体通信システムに用いられる通信装置および信号割当方法に関し、特に、ＯＦＤＭ（Orthogonal Frequency Division Multiplexing）方式の通信装置であるＯＦＤＭ送信装置およびＯＦＤＭ受信装置ならびに信号割当方法に関する。
【０００２】
【従来の技術】
最近、ＯＦＤＭ方式の通信装置（以下「ＯＦＤＭ通信装置」）が盛んに検討されている。以下、従来のＯＦＤＭ通信装置について、図３を参照して説明する。図３は、従来のＯＦＤＭ通信装置の構成を示すブロック図である。ここでは、一例として、用いるサブキャリア（搬送波）の総数をｋとする。
【０００３】
図３を参照するに、送信系において、一系列（シリアル）の情報信号は、Ｓ／Ｐ変換器１により総サブキャリアだけの複数系列（パラレル）の情報信号に変換される。すなわち、一系列の情報信号は、Ｓ／Ｐ変換器１により情報信号１〜情報信号ｋのｋ個の信号に変換される。複数系列に変換された情報信号は、ＩＦＦＴ（Ｉｎｖｅｒｓｅ  Ｆａｓｔ  Ｆｏｕｒｉｅｒ  Ｔｒａｎｓｆｏｒｍ）部２に送られる。
【０００４】
ＩＦＦＴ部２では、複数系列の情報信号に対してＩＦＦＴ（逆フーリエ変換）処理がなされることにより、周波数分割多重処理が行われる。具体的には、ＩＦＦＴ部２では、総サブキャリア数に対応する数だけ用意されたサブキャリアを、複数系列に変換された情報信号に対して割り当てて（換言すれば、複数系列に変換された情報信号を、総サブキャリア数に対応する数だけ用意されたサブキャリアに対して配置して）、周波数分割多重処理が行われる。サブキャリアの割り当て方法は、図４に示す通りである。図４は、従来のＯＦＤＭ通信装置におけるサブキャリアの配置の様子を示す模式図である。
【０００５】
図４に示すように、周波数軸上にｋ個のサブキャリアが配置されており、サブキャリア−ｋ／２には情報信号１、サブキャリア−１には情報信号ｋ／２、サブキャリア１には情報信号ｋ／２＋１、サブキャリアｋ／２には情報信号ｋがそれぞれ割り当てられている。
【０００６】
再度図３を参照するに、ＩＦＦＴ部２における周波数分割多重処理により、情報信号１〜情報信号ｋに対してサブキャリアが重畳された信号が得られる。周波数分割多重処理により得られた信号に対して所定の送信処理がなされることにより、送信信号が生成される。この送信信号は、アンテナ３を介して通信相手に対して送信される。
【０００７】
一方、受信系において、通信相手により送信された信号は、アンテナ３を介して、本通信装置により受信される。なお、上記通信相手は、図３に示すものと同様の構成を備えており、上述した送信系における処理を行うことにより得られる送信信号を送信するものである。
【０００８】
アンテナ３からの受信信号は、所定の受信処理がなされた後、ＦＦＴ（Ｆａｓｔ  Ｆｏｕｒｉｅｒ  Ｔｒａｎｓｆｏｒｍ）部４に送られる。ＦＦＴ部４では、上記所定の受信処理がなされた受信信号に対してＦＦＴ（フーリエ変換）処理が行われることにより、各サブキャリアにより伝送された情報信号（すなわちｋ個の情報信号）が取り出される。
【０００９】
各サブキャリアにより伝送された情報信号は、総サブキャリア数に対応する数だけ設けられた伝送路補償部（すなわち伝送路補償部５−１〜５−ｋ）のいずれかに送られる。
【００１０】
伝送路補償部５−１〜５−ｋでは、各サブキャリアにより伝送された情報信号に対して、伝送路補償処理（すなわち伝送路で生じた歪等を補償する処理）がなされる。伝送路補償処理後されたｋ個の情報信号は、Ｐ／Ｓ変換器６により一系列（シリアル）の情報信号に変換される。
【００１１】
以上のような処理がなされることにより、情報信号の伝送が実行される。ここで、送信系におけるＩＦＦＴ部２において、一般に、以下のような理由によりＤＣにはサブキャリアを配置していない。すなわち、ＤＣに配置されたサブキャリア（以下「ＤＣサブキャリア（または直流搬送波）」という。）には、送信系および受信系に用いられるアナログ回路において直流（ＤＣ）オフセットが重畳される。このため、ＤＣサブキャリアに配置された情報信号（すなわち、ＤＣサブキャリアにより伝送された情報信号）の誤り特性は、直流オフセットの影響により劣化する。
このような理由により、図４に示したように、ＤＣにはサブキャリアを配置していない。
【００１２】
【発明が解決しようとする課題】
しかしながら、上記従来のＯＦＤＭ通信装置においては、以下に示すような問題がある。すなわち、上記従来のＯＦＤＭ通信装置においては、ＤＣにサブキャリアを配置しないようにすることにより、ＤＣにサブキャリアを配置した場合に比べて、情報信号の誤り率特性の劣化を防ぐことができるが、ＤＣにサブキャリアを配置した場合に比べて、ＤＣにサブキャリアを配置しない分だけ伝送効率は低下する。
【００１３】
本発明は、かかる点に鑑みてなされたものであり、情報信号の誤り率特性を抑えつつ伝送効率を向上させるＯＦＤＭ送信装置、ＯＦＤＭ受信装置および信号割当方法を提供することを目的とする。
【００１４】
【課題を解決するための手段】
本発明のＯＦＤＭ送信装置は、直流搬送波を含む複数の搬送波から成る信号を送信するＯＦＤＭ送信装置であって、拡散処理を施された第１の情報信号を前記直流搬送波のみに割り当てるとともに、拡散処理を施されない第２の情報信号を前記直流搬送波以外の搬送波に割り当てることにより、周波数分割多重処理を行う割当手段と、前記周波数分割多重処理により得られた信号を送信する送信手段と、を具備する構成を採る。
【００１５】
本発明のＯＦＤＭ受信装置は、直流搬送波を含む複数の搬送波から成る信号であって、拡散処理を施された第１の情報信号が前記直流搬送波のみに割り当てられ且つ拡散処理を施されない第２の情報信号が前記直流搬送波以外の搬送波に割り当てられた信号を受信する受信手段と、前記第１の情報信号と前記第２の情報信号とをそれぞれ抽出する抽出手段と、抽出された前記第１の情報信号のみに対して逆拡散処理を施す逆拡散手段と、を具備する構成を採る。
【００１６】
これらの構成によれば、送信側装置において、直接拡散方式の拡散処理を施した情報信号を直流搬送波のみに配置するとともに、拡散処理を施されない情報信号を直流搬送波以外の搬送波に配置して、送信することにより、受信側装置においては、直流搬送波により伝送された信号のみに対して逆拡散処理を施すことにより、直流オフセットを低減させた情報信号を取り出すことができるので、情報信号の誤り率特性を抑えつつ伝送効率を向上させることが可能となる。
【００２０】
本発明の通信端末装置は、上記いずれかのＯＦＤＭ送信装置と、上記いずれかのＯＦＤＭ受信装置と、を具備する構成を採る。
【００２１】
この構成によれば、情報信号の誤り率特性を抑えつつ伝送効率を向上させることができるので、良好な通信を行う通信端末装置を提供することができる。
【００２２】
本発明の基地局装置は、上記いずれかのＯＦＤＭ送信装置と、上記いずれかのＯＦＤＭ受信装置と、を具備する構成を採る。
【００２３】
この構成によれば、情報信号の誤り率特性を抑えつつ伝送効率を向上させることができるので、良好な通信を行う基地局装置を提供することができる。
【００２４】
本発明の信号割当方法は、直流搬送波を含む複数の搬送波に情報信号を割り当てる信号割当方法であって、拡散処理を施された情報信号を前記直流搬送波のみに割り当てるとともに、拡散処理を施されない情報信号を前記直流搬送波以外の搬送波に割り当てるようにした。
【００２５】
この方法によれば、送信側において、直接拡散方式の拡散処理を施した情報信号を直流搬送波のみに配置するとともに、拡散処理を施されない情報信号を直流搬送波以外の搬送波に配置して、送信することにより、受信側においては、直流搬送波により伝送された信号のみに対して逆拡散処理を施すことにより、直流オフセットを低減させた情報信号を取り出すことができるので、情報信号の誤り率特性を抑えつつ伝送効率を向上させることが可能となる。
【００２８】
【発明の実施の形態】
まず、本発明者は、ＤＣサブキャリアに配置する情報信号に対して直接拡散方式の拡散処理を施すことに着目した。さらに、本発明者は、ＤＣサブキャリアに対して情報信号を配置した場合には、このＤＣサブキャリアにより伝送された情報信号の誤り率特性は劣化するが、ＤＣサブキャリアに対して、直接拡散方式の拡散処理を施した情報信号（以下「ＤＳ−ＣＤＭＡ情報信号」という。）を配置した場合には、このＤＣサブキャリアにより伝送されたＤＳ−ＣＤＭＡ情報信号は、受信時における逆拡散処理により、直流オフセットが低減されて誤り率特性が良好なものとなることを見出し、本発明をするに至った。
【００２９】
本発明の骨子は、ＤＣサブキャリア（直流搬送波）に配置する情報信号に対して、直接拡散方式の拡散処理を施すようにしたことである。換言すれば、本発明の骨子は、直接拡散方式の拡散処理を施した情報信号をＤＣサブキャリアに配置するようにしたことである。
【００３０】
以下、本発明の実施の形態について、図面を参照して詳細に説明する。
【００３１】
（実施の形態１）
まず最初に、ＤＣサブキャリアにより伝送されたＤＳ−ＣＤＭＡ情報信号が、受信時における逆拡散処理により直流オフセットが低減されて誤り率特性が良好となる点について説明する。
【００３２】
ＣＤＭＡ方式において、ＤＣオフセットが存在する場合を考える。逆拡散処理後のＤＣオフセットは、次に示す式により表現される。
【数１】
0003581286.tif 000002
ただし、ＤＣはＤＣオフセットであり、ＲＥＦ（ｎＴ）は時刻ｎＴにおける拡散符号であり、Ｎは拡散比であり、Ｔはサンプル周期である。
【００３３】
ここで、一般に、拡散符号の周期（ＮＴ）においては、ＤＣオフセットは一定であるとみなすことができるので、上式▲１▼は次式により表現される。
【数２】
0003581286.tif 000003
【００３４】
上式▲２▼において、（＋１の符号数）−（−１の符号数）＝１の場合には、ＤＣオフセットは、逆拡散処理により１／拡散比に減衰される。また、（＋１の符号数）と（−１の符号数）が同じである場合には、ＤＣオフセットは逆拡散処理により完全に除去される。
【００３５】
以上のように、ＣＤＭＡ方式においては、直流オフセットは逆拡散処理により完全に除去されるので、ＤＣサブキャリアにより伝送されるＤＳ−ＣＤＭＡ情報信号の誤り率特性は良好なものとなる。
【００３６】
次いで、本発明の実施の形態１にかかるＯＦＤＭ通信装置について、図１を参照して説明する。図１は、本発明の実施の形態１にかかるＯＦＤＭ通信装置の構成を示すブロック図である。なお、ここでは、一例として、用いるサブキャリアの総数をｋ（ＤＣサブキャリアを除く）とする。
【００３７】
図１を参照するに、送信系において、Ｓ／Ｐ変換器１０１は、ＤＣサブキャリア以外のサブキャリアに配置すべき一系列の情報信号を複数系列の情報信号に変換するものである。Ｓ／Ｐ変換器１０２は、ＤＣサブキャリアに配置すべき一系列の情報信号を複数系列の情報信号に変換するものである。
【００３８】
拡散部１０３−１〜１０３−ｎは、複数系列の情報信号に対して拡散処理を行うものである。加算部１０４は、拡散部１０３−１〜１０３−ｎにより拡散処理された情報信号を加算することにより、ＤＳ−ＣＤＭＡ情報信号を生成するものである。ＩＦＦＴ部１０５は、Ｓ／Ｐ変換器１０１からの複数系列の情報信号、および、加算部１０４からのＤＳ−ＣＤＭＡ情報信号に対して、ＩＦＦＴ処理を行うことにより、周波数分割多重処理を行うものである。アンテナ１０６は、送信信号を通信相手に対して送信するとともに、通信相手からの信号を受信するものである。
【００３９】
一方、受信系において、ＦＦＴ部１０７は、所定の受信処理がなされた受信信号に対してＦＦＴ処理を行うものである。伝送路補償部１０８−１〜１０８−ｋは、各サブキャリアにより伝送された情報信号に対して、伝送路補償処理（すなわち伝送路で生じた歪等を補償する処理）を行うものである。Ｐ／Ｓ変換器１０９は、伝送路補償部１０８−１〜１０８−ｋからの伝送路補償処理後の情報信号を一系列の情報信号に変換するものである。
【００４０】
伝送路補償部１１０は、ＤＣサブキャリアにより伝送されたＤＳ−ＣＤＭＡ情報信号に対して、伝送路補償処理（すなわち伝送路で生じた歪等を補償する処理）を行うものである。逆拡散部１１１−１〜１１１−ｎは、伝送路補償処理後のＤＳ−ＣＤＭＡ情報信号に対して、相互に異なる拡散符号を用いた逆拡散処理を行うものである。Ｐ／Ｓ変換器１１２は、逆拡散部１１１−１〜１１１−ｎからの複数系列の情報信号を一系列の情報信号に変換するものである。
【００４１】
次いで、上記構成のＯＦＤＭ通信装置の動作について、図１に加えて図２を参照して説明する。図２は、本発明の実施の形態１にかかるＯＦＤＭ通信装置におけるサブキャリアの配置の様子を示す模式図である。
【００４２】
図１を参照するに、送信系において、情報信号は、Ｓ／Ｐ変換器１０１またはＳ／Ｐ変換器１０２のいずれかに送られる。Ｓ／Ｐ変換器１０１に送られる情報信号は、ＤＣサブキャリア以外のサブキャリアに配置されるものであり、Ｓ／Ｐ変換器１０２に送られる情報信号は、ＤＣサブキャリアに配置されるものである。
【００４３】
ＤＣサブキャリア以外のサブキャリアに配置される情報信号（一系列の情報信号）は、Ｓ／Ｐ変換器１０１により総サブキャリア（ＤＣサブキャリアを除く）だけの複数系列の情報信号に変換される。すなわち、一系列の情報信号は、Ｓ／Ｐ変換器１０１により情報信号１〜情報信号ｋのｋ個の信号に変換される。複数系列に変換された情報信号は、ＩＦＦＴ部１０５に送られる。
【００４４】
ＤＣサブキャリアに配置される情報信号（一系列の情報信号）は、Ｓ／Ｐ変換器１０２により、所定の信号多重数分（ここでは一例としてｎとする）だけの複数系列の情報信号に変換される。すなわち、一系列の情報信号は、Ｓ／Ｐ変換器１０２により、情報信号１〜情報信号ｎのｎ個の信号に変換される。なお、上記信号多重数は任意に設定可能なものである。
【００４５】
情報信号１〜情報信号ｎは、それぞれ、拡散部１０３−１〜拡散部１０３−ｎにより、信号固有の拡散符号を用いた拡散処理が施された後、加算部１０４に送られる。加算部１０４においては、拡散処理後の情報信号１〜情報信号ｎが加算されることにより、ＤＳ−ＣＤＭＡ情報信号が生成される。このＤＳ−ＣＤＭＡ情報信号は、ＩＦＦＴ部１０５に送られる。
【００４６】
ＩＦＦＴ部１０５では、Ｓ／Ｐ変換器１０１からの複数系列の情報信号、および、加算部１０４からのＤＳ−ＣＤＭＡ情報信号に対して、ＩＦＦＴ処理がなされることにより、周波数分割多重処理が行われる。具体的には、ＩＦＦＴ部１０５では、複数系列に変換された情報信号（すなわち情報信号１〜情報信号）を、総サブキャリア数に対応する数だけ用意されたサブキャリアに対して配置し、ＤＳ−ＣＤＭＡ情報信号をＤＣサブキャリアに対して配置して、周波数分割多重処理が行われる。サブキャリアの割り当ての様子の一例を図２に示す。
【００４７】
図２に示すように、周波数軸上にｋ個のサブキャリアおよび１個のＤＣサブキャリアが配置されており、サブキャリア−ｋ／２には情報信号１、サブキャリア−１には情報信号ｋ／２、サブキャリア１には情報信号ｋ／２＋１、サブキャリアｋ／２には情報信号ｋ、ＤＣサブキャリアにはＤＳ−ＣＤＭＡ情報信号がそれぞれ割り当てられている。
【００４８】
再度図１を参照するに、ＩＦＦＴ部１０５における周波数分割多重処理により、情報信号１〜情報信号ｋに対してサブキャリアが重畳され、ＤＳ−ＣＤＭＡ情報信号に対してＤＣサブキャリアが重畳された信号が得られる。周波数分割多重処理により得られた信号に対して所定の送信処理がなされることにより、送信信号が生成される。この送信信号は、アンテナ１０６を介して通信相手に対して送信される。なお、上記所定の送信処理には、並列直列変換処理、Ｄ／Ａ変換処理、周波数変換処理および帯域制限処理等が含まれる。
【００４９】
一方、受信系において、通信相手により送信された信号は、アンテナ１０６を介して、本通信装置により受信される。なお、上記通信相手は、図１に示すものと同様の構成を備えており、上述した送信系における処理を行うことにより得られる送信信号を送信するものである。
【００５０】
アンテナ１０６からの受信信号は、所定の受信処理がなされた後、ＦＦＴ部１０７に送られる。なお、上記所定の受信処理には、帯域制限処理、周波数変換処理、Ａ／Ｄ変換処理および直列並列変換処理等が含まれる。
【００５１】
ＦＦＴ部１０７では、上記所定の受信処理がなされた受信信号に対してＦＦＴ処理が行われることにより、サブキャリア（ＤＣサブキャリアを除く）により伝送された情報信号（情報信号１〜情報信号ｋ）、および、ＤＣサブキャリアにより伝送されたＤＳ−ＣＤＭＡ情報信号が取り出される。
【００５２】
サブキャリア（ＤＣサブキャリアを除く）により伝送された情報信号１〜情報信号ｋは、それぞれ、伝送路補償部１０８−１〜１０８−ｋに送られる。ＤＣサブキャリアにより伝送されたＤＳ−ＣＤＭＡ情報信号は、伝送路補償部１１０に送られる。
【００５３】
伝送路補償部１０８−１〜１０８−ｋでは、それぞれ、サブキャリアにより伝送された情報信号１〜情報信号ｋに対して、伝送路補償処理がなされる。伝送路補償処理がなされたｋ個の情報信号は、Ｐ／Ｓ変換器１０９により一系列の情報信号に変換される。
【００５４】
伝送路補償部１１０では、ＤＣサブキャリアにより伝送されたＤＳ−ＣＤＭＡ情報信号に対して、伝送路補償処理がなされる。伝送路補償処理後のＤＳ−ＣＤＭＡ情報信号は、逆拡散部１１１−１〜１１１−ｎに送られる。
【００５５】
逆拡散部１１１−１〜１１１−ｎでは、伝送路補償処理後のＤＳ−ＣＤＭＡ情報信号に対して、相互に異なる拡散符号を用いた逆拡散処理が行われることにより、情報信号１〜情報信号ｎが得られる。得られた情報信号１〜情報信号ｎは、Ｐ／Ｓ変換器１１２により一系列の情報信号に変換される。
【００５６】
以上のような処理がなされることにより、情報信号の伝送が実行される。上述の通り、送信系におけるＩＦＦＴ部１０５においては、ＤＣサブキャリアに対してＤＳ−ＣＤＭＡ情報信号を配置している。このＤＣサブキャリアにより伝送されるＤＳ−ＣＤＭＡ情報信号は、受信系および送信系に用いられるアナログ回路において直流オフセットの影響を受けるものの、送信系における逆拡散部１１１−１〜１１１−ｎでの逆拡散処理により、直流オフセットが低減されて誤り率特性が良好なものとされる。すなわち、ＤＣにサブキャリアを配置しても、情報信号の誤り率特性を良好に保つことができる。さらに、ＤＣサブキャリアに情報信号を配置しているので、全体的な伝送効率を向上させることもできる。
【００５７】
このように、本実施の形態にかかるＯＦＤＭ通信装置によれば、送信側装置において、直接拡散方式の拡散処理を施した情報信号をＤＣサブキャリアに配置して送信することにより、受信側装置においては、ＤＣサブキャリアにより伝送された信号に対して逆拡散処理を施すことにより、直流オフセットを低減させた情報信号を取り出すことができるので、情報信号の誤り率特性を抑えつつ伝送効率を向上させることが可能となる。
【００５８】
なお、本実施の形態では、信号多重数を複数とした場合を例にとり説明したが、本発明は、これに限定されず、信号多重数を１とした場合にも適用可能なものである。この場合には、図１における拡散部を１つのみ用いるので、Ｓ／Ｐ変換器１０２および加算部１０４を省いた構成としてもよい。
【００５９】
また、本実施の形態では、ＯＦＤＭ方式の通信を用いた場合について説明したが、本発明は、これに限定されず、ＯＦＤＭ−ＣＤＭＡ（Ｃｏｄｅ  Ｄｉｖｉｓｉｏｎ  Ｍｕｌｔｉｐｌｅ  Ａｃｃｅｓｓ）方式の通信を用いた場合にも適用可能であることは言うまでもない。具体的には、図１を参照するに、サブキャリア（ＤＣサブキャリアを除く）に配置する情報信号に対して、次のような処理を施してもよい。すなわち、上記情報信号を任意数だけの複数系列の信号に変換し、各信号に対して信号固有の拡散処理を施して加算した信号を、Ｓ／Ｐ変換器１０１に送るようにしてもよい。これにより、各サブキャリアにより伝送された情報信号の誤り率特性を良好に保つことができる。
【００６０】
上記実施の形態で説明したＯＦＤＭ通信装置は、ディジタル移動体通信システムにおける通信端末装置や基地局装置に搭載可能なものである。
【００６１】
【発明の効果】
以上説明したように、本発明によれば、直接拡散方式の拡散処理を施した情報信号をＤＣサブキャリアのみに配置するとともに、拡散処理を施されない情報信号をＤＣサブキャリア以外のサブキャリアに配置するので、情報信号の誤り率特性を抑えつつ伝送効率を向上させるＯＦＤＭ送信装置、ＯＦＤＭ受信装置および信号割当方法を提供することができる。
【図面の簡単な説明】
【図１】本発明の実施の形態１にかかるＯＦＤＭ通信装置の構成を示すブロック図
【図２】本発明の実施の形態１にかかるＯＦＤＭ通信装置におけるサブキャリアの配置の様子を示す模式図
【図３】従来のＯＦＤＭ通信装置の構成を示すブロック図
【図４】従来のＯＦＤＭ通信装置におけるサブキャリアの配置の様子を示す模式図
【符号の説明】
１０２  Ｓ／Ｐ変換器
１０５  ＩＦＦＴ部
１０６  アンテナ
１０７  ＦＦＴ部
１１０  伝送路補償部
１１１−１〜１１１−ｎ  逆拡散部
１１２  Ｐ／Ｓ変換器
【図１】
0003581286.tif 000004
【図２】
0003581286.tif 000005
【図３】
0003581286.tif 000006
【図４】
0003581286.tif 000007